(57)【要約】【課題】  アンカー金具において、アンカーソケット１壁面に対して多少傾斜して埋め込まれても、パネル１８や壁面６とフランジ体１３の表面とが同一平面となる閉塞部材を提供すること。【解決手段】  壁や柱に穿設した孔にアンカーソケット１を挿入し、このアンカーソケット１に楔５を圧入することにより先端側３を拡開して側面を前記孔の壁面に圧接して固定するようにしたアンカー金具において、アンカーソケット１の後端側(壁面６側)から挿入して固定される柱状体１２と、壁面６と同一平面を形成して施工痕を目立たなくするフランジ体１３を別体に形成し、フランジ体１３を柱状体１２に首振り自在に結合する。【選択図】  図１
2007177558.tif 000002
【特許請求の範囲】
【請求項１】
壁や柱に穿設した孔７にアンカーソケット１を挿入し、このアンカーソケット１に楔５を圧入することにより先端側を拡開して側面を前記孔７の側面に圧接して固定するようにしたアンカー金具において、
アンカーソケット１の後端側(壁面６側)から挿入して固定される柱状体１２と、パネル６面と同一平面を形成して施工痕を目立たなくするフランジ体１３とからなり、前記柱状体１２とフランジ体１３は、フランジ体１３が首振り自在に結合されてなることを特徴とするアンカー金具の閉塞部材。
【請求項２】
柱状体１２の先端に略球形の係合部１７を形成し、この略球形の係合部１６に嵌合する係止片１９をフランジ体１３に設けてなることを特徴とする請求項１記載のアンカー金具の閉塞部材。
【請求項３】
柱状体１２は、アンカーソケット１に圧入することにより固定することを特徴とする請求項２記載のアンカー金具の閉塞部材。
【請求項４】
柱状体１２は、周囲に雄ねじが形成され、アンカーソケット１の内面に形成された雌ねじに螺合することにより固定することを特徴とする請求項２記載のアンカー金具の閉塞部材。
【発明の詳細な説明】
【技術分野】
【０００１】
本発明は、コンクリートなどの壁面にパネルやタイルの物品を固定、係止するために壁面に埋め込むアンカー金具に関するものである。さらに詳しくは、アンカー金具を埋め込んだ施工痕を隠すための閉塞部材に関するものである。
【背景技術】
【０００２】
コンクリートなどの壁や柱に後施工で埋め込むアンカー金具としては、一般に図５(ａ)に示すように、先端部２に割り溝３を形成し、筒状のアンカーソケット１の先端部２の内壁面を先端に向けて狭くなるようにテーパー状に形成したり、先端部付近をプレス加工等により内側へ膨出させた突条１５を形成したものが一般的である。このアンカーソケット１の後端部４側から先端部２へ楔５を圧入することにより先端部２を拡開し、壁面６に穿設した下孔７の内壁に先端部２を圧接することにより固定する。
【０００３】
そして、従来は、アンカーソケット１の後端部に、パネル１８面と一平面をなす平らなフランジ体１３を有する化粧用の閉塞部材１１を嵌め込むことによって、施工痕を目立たなくなるようにしていた。この閉塞部材１１は、図５に示すように、アンカーソケット１の後端部４に挿入される柱状体１２と壁面と一平面をなすフランジ体１３からなり、(ａ)にように柱状体１２を圧入することにより固定するものや、(ｂ)のように柱状体１２に雌ねじを形成してアンカーソケット１に螺合することにより固定するものがあった。
圧入する閉塞部材１１は、抜け止めのためのローレットなどを柱状体１２に形成されたり、弾性をつけるためにすり割り１４が形成されたりしている。螺合する閉塞部材１１は、フランジ体１３の表面にドライバー等で回すための溝２０が形成されている。
【特許文献１】特開平８−１２８２１０号公報
【発明の開示】
【発明が解決しようとする課題】
【０００４】
図５に示す従来の閉塞部材は１１、柱状体１２がアンカーソケット１にまっすぐ圧入または螺合するもので、柱状体１２とフランジ体１３の表面が直角に形成されている。
壁面６に穿設した下穴７が斜めに明けられてしまったなどの場合、アンカーソケット１がパネル１８や壁面６に対して垂直ではなくなり、それに伴って閉塞部材１１のフランジ体１３表面がパネル１８や壁面６と同一平面にならないという問題が生じることがあるという欠点があった。
また、アンカーソケット１に螺合する閉塞部材１１は、ドライバー用の溝２０が表面に出てしまうと言う問題点があった。
また、パネル１８や壁面６は酸やアルカリによる洗浄が行われる場合がある。閉塞部材１１のフランジ体１３の表面は、パネル１８や壁面６の色に合わせて塗装されているので、この酸やアルカリによる洗浄により塗装が剥がれてきてしまうが、上述のような従来の圧入する閉塞部材１１は、容易に取り外すことができずに交換ができないという問題点があった。
【０００５】
本発明の目的は、アンカー金具において、アンカーソケットが壁面に対して多少傾斜して埋め込まれても、壁面とフランジ体の表面とが同一平面となる閉塞部材であって、容易に交換可能なものを提供することを目的とする。
【課題を解決するための手段】
【０００６】
本発明は以上のような問題点を解決するためになされたもので、壁や柱に穿設した孔にアンカーソケット１を挿入し、このアンカーソケット１に楔５を圧入することにより先端側を拡開して側面を前記孔の壁面に圧接して固定するようにしたアンカー金具において、
アンカーソケット１の後端側(壁面６側)から挿入して固定される柱状体１２と、パネル１８と同一平面を形成して施工痕を目立たなくするフランジ体１３とからなり、前記柱状体１２とフランジ体１３は、フランジ体１３を首振り自在に結合する。
【０００７】
柱状体１２の先端に略球形の係合部１７を形成し、この略球形の係合部１６に嵌合する係止片１９をフランジ体１３に設けることにより、首振り自在とすることができる。
【発明の効果】
【０００８】
フランジ体１３を柱状体１２の係合部１６に首振り自在に結合することにより、下穴７が多少斜めに穿設されてしまっても、フランジ体１３が首を振ることでその角度が修正されて、フランジ体１３の表面を取り付けたパネル等の表面と同一表面となすことができる。
また、略球形の係合部１６に嵌合する係止片１９をフランジ体１３に設けることにより、フランジ体を着脱自在とすることができ、酸やアルカリによる洗浄で塗装が剥がれても、容易に交換することができる。
【発明を実施するための最良の形態】
【０００９】
柱状体１２の先端に略球形の係合部１６を形成し、この略球形の係合部１６に嵌合する係止片をフランジ体１３に設け、アンカーソケット１に柱状体１２を冶具などで所定の深さに圧入し、係合部１６にフランジ体１３を嵌め込む。
【実施例１】
【００１０】
以下、本発明の実施例を図面に基づき説明する。
図１は、本発明の第１実施例であり、このアンカー金具は、アンカーソケット１と楔５からなり、アンカーソケット１は、後端部４に鍔１０が形成された略筒状をなしており、拡開する先端部3付近には内側に向かって膨出した突条１５が形成されている。また先端部３には、少なくとも２ヶ所に割り溝２が形成され、周囲には、孔７の内壁に圧接したときに食い込んで抜け難くするための凹部９が形成されている。この凹部９は、前記突条１５を内側に膨出させるプレス加工により同時に形成される。
楔５は、中空の筒の先端側を窄ませた砲弾型の形状をなしている。
【００１１】
閉塞部材１１は、図２に示すように、前記アンカーソケット１に圧入して固定される柱状体１２の先端がが略球形の係合部１６に形成されており、フランジ体１３は、パネル１８に露出される表面が平面に形成され、背面側には、前記略球形の係合部１６に係合するための係合部１７が設けられている。
フランジ体１３の係合部１７は、図３(ａ)に示すように、複数の内側に湾曲した係止片１９が円形に配置されている。
【００１２】
次に、このアンカー金具の施工手順を外装パネルを取り付けるものとして説明する。
まず、壁面６にアンカーソケット１を挿入する下穴７を外装パネルの取り付け穴に合わせて所定の深さに穿設する。
外装パネル１８を挟んでアンカーソケット１を下穴７に挿入する。
アンカーソケット１に楔５打ち込み、アンカーソケット１を固定することにより外装パネル１８を固定する。
必要に応じて、アンカーソケット１内に接着剤等を注入する。
アンカーソケット１に、係合部１６を外側に向けた柱状体１２を、冶具などを用いて所定の深さに圧入する。
アンカーソケット１に圧入された柱状体１２の球形の係合部１６に、フランジ体１３の係合部１７を合わせて嵌め込む。
【００１３】
以上の実施例では、アンカーソケット１へ柱状体１２を圧入して固定する例について述べたが、本発明はこれに限られるものではなく、圧入というほどではなく、指先で押し込める程度のハメアイに形成して接着剤で固定したり、ねじを形成して螺合するようにしてもよい。
また、以上の実施例では、柱状体１２とフランジ体１３を別部品として、施工時の最期にフランジ体１３を嵌め込むようにしたが、本発明はこれに限られるものではなく、柱状体１２の係合部１６に首振り可能にフランジ体１３を取り付けた１個の部品としてもよい。しかし、この場合は、可動なフランジ体１３を介して柱状体１２を圧入等でアンカーソケット１に取り付けるため、上手く施工しないとガタが出る可能性がある。
【図面の簡単な説明】
【００１４】
【図１】本発明によるアンカー金具の閉塞部材を示す断面図である。
【図２】従来のアンカー金具の閉塞部材を示す断面図である。
【符号の説明】
【００１５】
１…アンカーソケット、２…割り溝、３…先端部、４…後端部、５…楔、６…壁面、７…下穴、９…凹部、１０…鍔、１１…閉塞部材、１２…柱状部、１３…フランジ体、１５…突条、１６…柱状部の係合部、１７…フランジ体の係合部。
【図１】
2007177558.tif 000003
【図２】
2007177558.tif 000004